(57)【特許請求の範囲】
【請求項１】
カップ布と、
前記カップ布の周辺の湾曲部に配されるとともに該カップ布の外側から付設されるワイヤーと、
前記ワイヤーの付設位置を含む前記カップ布の内側に配設される低反発ウレタンフォームからなるカップパットと、
前記カップ布の外側に配設される台布と、
前記台布の上縁の湾曲線に沿い且つ該上縁の湾曲線の直下にある縫い合わせ位置を通るように、該台布、該カップ布、前記カップパットとともに縫製されるとともに、前記カップ布と該台布の間に挟まれて縫製されるワイヤーを覆う布を備える外付けワイヤーブラジャーであって、
前記ワイヤーを覆う布が、前記縫製によりワイヤーを覆うループを形成し、該ループ及び前記ワイヤーが前記台布外側の縫い合わせ位置を覆うことを特徴とする外付けワイヤーブラジャー。
【発明の詳細な説明】
【０００１】
【発明の属する技術分野】
本発明はワイヤー入りのブラジャーに係り、その目的は、着用者に苦痛を与えたり、着用者の身体にワイヤーの跡が残らず、また外観の美しい外付けワイヤーブラジャーを提供することにある。
尚、本明細書においてブラジャーとは、一般的なブラジャーだけでなく、ロングラインブラジャー、スリーインワン、ボディスーツ、ブラスリップ等のカップ部を有するファンデーション全体のことをいう。
【０００２】
【従来の技術】
従来より乳房カップの下側の縁に金属やプラスチック、樹脂からなるある程度以上の剛性を有するカップワイヤーを備えたブラジャーは乳房の形を美しく整える造形性を有するブラジャーとして広く普及している。
【０００３】
従来の最も一般的に普及しているカップワイヤーを備えたブラジャーにおいて、図６に示すように、乳房の基底ラインの形状に沿った半円弧状の形状をしたワイヤー（５）がカップパット（７）に付設されている。
このような従来のブラジャーでは、図７及び図８（ａ）（ｂ）に示すように、ワイヤー（５）がカップパット（７）の内側に位置し、クッション布（６）の中にワイヤー（５）を入れることにより肌にあたる力を軽減させ、更には突き抜けを防止させていた。また、突き抜け防止、延いてはけが防止のためにワイヤー端部には樹脂などでコーティングが施されている。
【０００４】
ワイヤー（５）の付設方法としては図８（ａ）（ｂ）に示すように外側（表面側）から台布（９）、カップ布（８）、カップパット（７）の順で重ね、縫合糸（１０Ａ）により縫合される。前記縫合されたブラジャー生地の内側（肌側）にワイヤー（５）を挿入したクッション布（６）が配置され、クッション布（６）の幅に合わせて上下縁部分が縫合糸（１０Ｂ）（１０Ｃ）により縫合されている。
図８（ａ）（ｂ）からもわかるように、第３の縫合糸（１０Ｃ）は台布（９）のみがクッション布（６）と共に縫合されるか、台布（９）、カップ布（８）、カップパット（７）及びクッション布（６）が重ねて縫合されている。
【０００５】
【発明が解決しようとする課題】
しかしながら、上記したような従来のブラジャーには、以下に述べる問題点があった。
従来のワイヤー入りブラジャーは前記したようにワイヤーが肌側に位置されているため、これを装着した時にワイヤーが身体に圧迫感を与え、肌にワイヤー跡がつくことがあった。また、数回の洗濯でワイヤーがねじれたり、曲がりを生じる等して、ワイヤーの形状が変化するため装着時に胸の中央部の中心部分にワイヤーの先端があたって違和感を感じたり、傷がついたりすることがあった。
更に、本来ブラジャーはカップ布（８）と台布（９）の縫い合わせ位置でカップ部と台部の機能が分かれるものであり、その位置にワイヤー（５）がくることが理想であるが、図８（ａ）（ｂ）からもわかるようにワイヤー付設構造上、ワイヤーが離れた位置になることが常であった。
【０００６】
本発明者はこのような問題点を解決するために、先ずカップワイヤーをカップの外側（表面側）に付設することを考えたが、単にワイヤーをカップの外側に位置させた場合、ブラジャーの表面にワイヤーが膨出するため、ブラジャーの外観が悪くなり、デザイン上の大きな制約となり、更に身体のラインに沿うような洋服を着用した場合、ワイヤー部分のラインが見えるという問題があった。
【０００７】
本発明は上記した問題点を全て解決するためになされたものであって、ワイヤーの肌へのあたりを緩和し、且つワイヤーをカップ布と台布の縫い合わせ位置に付設する、外観にも優れたワイヤー入りブラジャーを創出しようとするものである。
【０００８】
【課題を解決するための手段】
すなわち、本発明のうち請求項１に係る発明は  カップ布と、前記カップ布の周辺の湾曲部に配されるとともに該カップ布の外側から付設されるワイヤーと、前記ワイヤーの付設位置を含む前記カップ布の内側に配設される低反発ウレタンフォームからなるカップパットと、前記カップ布の外側に配設される台布と、前記台布の上縁の湾曲線に沿い且つ該上縁の湾曲線の直下にある縫い合わせ位置を通るように、該台布、該カップ布、前記カップパットとともに縫製されるとともに、前記カップ布と該台布の間に挟まれて縫製されるワイヤーを覆う布を備える外付けワイヤーブラジャーであって、前記ワイヤーを覆う布が、前記縫製によりワイヤーを覆うループを形成し、該ループ及び前記ワイヤーが前記台布外側の縫い合わせ位置を覆うことを特徴とする外付けワイヤーブラジャーに関する。
【０００９】
【発明の実施の形態】
以下、本発明に係る外付けワイヤーブラジャーについて、図面を参照しつつ説明する。
図１は本発明の実施の形態である外付けワイヤーブラジャーの片側正面図を示し、図２は図１に示す本発明に係る外付けワイヤーブラジャーを裏側から見た図を示し、図３は図１に示す本発明に係る外付けワイヤーブラジャーの断面図を示し、図４（ａ）（ｂ）は図３のワイヤー付設部分の拡大断面図を示す。
【００１０】
本発明に係る外付けワイヤーブラジャーは、図１及び図２に示すように、カップ（１）と、左右のカップをつなぐ中央台布（２）と、カップの縁部からそれぞれ横方向に延びるバック布（３）と、肩紐（４）から構成されている。
【００１１】
本発明では、ワイヤー（５）は図１及び図３に示すようにカップ布（８）の下部周辺の湾曲部に、カップ布（８）の外側から付設されている。
ワイヤー（５）の付設方法を具体的に説明すると、図４（ａ）（ｂ）に示すように、ブラジャー本体は外側から台布（９）、ワイヤーを覆う布（１１）、カップ布（８）、カップパット（７）の順に重ねられ、縫合糸（１０Ａ）により縫合される。この時ワイヤーを覆う布（１１）は後でワイヤー（５）を挿入するためにループ状にたたまれ、その縁部分が台布（９）とカップ布（８）の間に挟み込まれる。更にカップパット（７）の内側からクッション布（６）があてられ、クッション布（６）の幅に合わせて上下縁部分が縫合糸（１０Ｂ）（１０Ｃ）により同時に縫合される。最後にループ状にたたまれ縫合されたワイヤーを覆う布（１１）にワイヤー（５）を挿入する。
【００１２】
このとき、図４（ａ）に示されるように第２の縫合糸（１０Ｂ）によりブラジャーの外側から台布（９）、ワイヤーを覆う布（１１）、カップ布（８）、カップパット（７）、クッション布（６）が重ねて縫合され、第３の縫合糸（１０Ｃ）によりブラジャーの外側から台布（９）、クッション布（６）が重ねて縫合される。また、図４（ｂ）に示されるように第３の縫合糸（１０Ｃ）が第２の縫合糸（１０Ｂ）と同様にブラジャーの外側から台布（９）、ワイヤーを覆う布（１１）、カップ布（８）、カップパット（７）、クッション布（６）を重ねて縫合しても良い。クッション布（６）の素材としては特に制限されないが、起毛ループが好ましく使用される。
【００１３】
前記したワイヤー付設部分の縫製方法において、ワイヤーを覆う布（１１）の縁部を台布（９）とカップ布（８）の間に挟み込むことにより、ワイヤーを覆う布（１１）の縁部分を表面に出すことなく処理することができる。
【００１４】
また、前記縫製方法によりカップ布（８）と台布（９）の縫いあわせ位置にワイヤーを付設することができ、これにより着用時にワイヤー（５）が乳房の基底ラインに沿うことになり、カップ布（８）が乳房の膨らみに沿うため、美しい立体感をもたせることができる。また、ワイヤー（５）がカップパット（７）の外側に位置するため、肌とワイヤー（５）との間にカップパットによるクッションができ、ワイヤー（５）の肌への当たりが緩和される。
【００１５】
尚、本発明における外付けワイヤーブラジャーは、必ずしもカップパットを使用する必要はなく、カップパットを使用しない場合には前記ワイヤー付設方法において、カップパットを省いて各材料を縫合すれば良い。
【００１６】
更に本発明では、カップパット（７）の素材として低反発ウレタンフォーム材を用いることにより肌に対する圧力を軽減する。特に、外付けされたワイヤー（５）の両端部がこの低反発ウレタンフォーム材を介接して肌にあたるため、直接ワイヤー（５）端部が肌を圧接することがない。更に、上体の捻り動作によってブラジャーが移動し、ワイヤー（５）端部が胸の中心部や脇を突くような変形をしても痛みを感じることはない。
【００１７】
前記低反発ウレタンフォームとは遅行弾性回復性能をもった素材で、反発性が低いため、圧力をまんべんなく分散させることができる特徴を持つ。この低反発とはJIS K6401に基づいて算出された反発弾性率が３０％以下のものをいい、好ましい反発弾性率は０〜２０％、より好ましくは０〜１５％とされる。低反発ウレタンシートとしては、例えばメモリーシート（商品名）が好適に使用される。また、本発明の外付けワイヤーブラジャーのカップパットには低反発ウレタンフォーム材だけでなく、通常のウレタンフォーム材も好ましく用いられる。
【００１８】
このようにカップパット（７）に前記低反発ウレタンフォーム材を使用することにより、装着した際にワイヤー（５）の圧力がかかってもその圧力が低反発ウレタンフォーム材を使用したカップパット（７）に吸収され、分散されるために身体へのあたりを緩和することができる。また、装着の際には着用圧によってワイヤー（５）がカップパットであるウレタンフォーム材に埋め込まれることになり、外側から見たラインがフラットになり、外観が美しくなる。
【００１９】
また、図２及び図６からもわかるように、裏から見た外観においては本発明に係るワイヤーブラジャーと従来のワイヤーブラジャーは全く同じである。また、表から見た外観においては、図１及び図５からもわかるように、図１においてワイヤーを覆う布（１１）が外側から見えるものの、このワイヤーを覆う布（１１）も、前記したように着用の際にカップパット（７）に埋め込まれるので、着用時の外観においては従来のワイヤーブラジャーと殆ど同じであるワイヤーブラジャーを提供することができる。
【００２０】
【発明の効果】
以上詳述したように、請求項１に係る発明は、カップ布の周辺の湾曲部に、カップ布の外側からワイヤーが付設されていることを特徴とする外付けワイヤーブラジャーに関するので、装着した時に身体にワイヤーが圧迫感を与え、肌にワイヤー跡がついたりしない。
【００２１】
請求項２に係る発明は、前記ワイヤーの付設位置を含む前記カップ布の内側にカップパッドが配設され、該カップパットは低反発ウレタンフォームからなることを特徴とする請求項１に記載の外付けワイヤーブラジャーであるので、ワイヤーが膨出して外観を損ねることがなく、デザインの制約を受けることもない、外観の美しいブラジャーを提供することができ、またワイヤーが低反発ウレタンフォームを介して肌にあたるのでソフトな着用感を持続することができる。
【００２２】
請求項３に係る発明は、前記カップ布の外側に台布が配設され、前記カップ布と前記台布の間に前記ワイヤーを覆う布が挟まれて縫製されてなることを特徴とする請求項１又は２に記載の外付けワイヤーブラジャーであるので、ワイヤーをカップ布と台布の縫い合わせ位置に付設することができるので、カップ部と台部の機能を明確にすることができる。従って身体のラインに沿うと共に乳房の形を美しく整えるブラジャーを提供することができる。
【図面の簡単な説明】
【図１】本発明に係るブラジャーの片側正面図である。
【図２】図１に示すブラジャーの片側裏面図である。
【図３】図１に示すブラジャーの断面図である。
【図４】図３のワイヤー付設部分の拡大断面図である。
【図５】従来のブラジャーの片側正面図である。
【図６】図５に示すブラジャーの片側裏面図である。
【図７】図５に示すブラジャーの断面図である。
【図８】図７のワイヤー付設部分の拡大断面図である。
【符号の説明】
１          カップ
２          中央台布
３          バック布
４          肩紐
５          ワイヤー
６          クッション布
７          カップパット
８          カップ布
９          台布
１０Ａ      第１の縫合糸
１０Ｂ      第２の縫合糸
１０Ｃ      第３の縫合糸
１１        ワイヤーを覆う布
【図１】
0004098519.tif 000002
【図２】
0004098519.tif 000003
【図３】
0004098519.tif 000004
【図４】
0004098519.tif 000005
【図５】
0004098519.tif 000006
【図６】
0004098519.tif 000007
【図７】
0004098519.tif 000008
【図８】
0004098519.tif 000009